(57)【要約】【課題】本発明は、保護対象となる複数の電線に比較的短いものが含まれる場合でも、それらの複数の電線を容易に保持できるようにすること。【解決手段】多段電線保持バー１００は、電線９１の端部を保持可能で、一の直線Ｌ１に沿って並んで設けられた複数の第一保持部１１と、一の直線Ｌ１の周りの位置に設けられた連結部と、を備える電線保持バー１０１を複数含み、連結部は、一の直線Ｌ１の延在方向と第一保持部１１に保持された状態の電線９１における第一保持部１１から延び出る部分の延出方向Ｙとに直交する第一方向Ｘにおいて複数の電線保持バー１０１各々における複数の第一保持部１１の位置がずれた状態で、かつ、複数の電線保持バー１０１各々における複数の第一保持部１１が同じ姿勢となるように複数の電線保持バー１０１を連結する。【選択図】図３
2017073311.tif 000002
【特許請求の範囲】
【請求項１】
電線の端部を保持可能で、一の直線に沿って並んで設けられた複数の第一保持部と、前記一の直線の周りの位置に設けられた連結部と、を備える電線保持バーを複数含み、
前記連結部は、前記一の直線の延在方向と前記第一保持部に保持された状態の前記電線における前記第一保持部から延び出る部分の延出方向とに直交する第一方向において複数の前記電線保持バー各々における前記複数の第一保持部の位置がずれた状態で、かつ、複数の前記電線保持バー各々における前記複数の第一保持部が同じ姿勢となるように前記複数の電線保持バーを連結する、多段電線保持バー。
【請求項２】
請求項１に記載の多段電線保持バーであって、
前記一の直線の延在方向において、前記複数の電線保持バー各々における前記複数の第一保持部が設けられた領域の少なくとも一部同士が重なる状態で、複数の前記電線保持バーが連結されている、多段電線保持バー。
【請求項３】
請求項１又は請求項２に記載の多段電線保持バーであって、
前記連結部は、複数の前記電線保持バーの前記第一方向において隣り合う２つの前記電線保持バーのうち下方の前記電線保持バーの前記複数の第一保持部の上方に、隙間が形成されつつ、前記２つの電線保持バーのうち上方の前記電線保持バーの前記複数の第一保持部が重なるように、前記２つの電線保持バーを連結する第一連結部を含む、多段電線保持バー。
【請求項４】
請求項１又は請求項２に記載の多段電線保持バーであって、
前記連結部は、複数の前記電線保持バーの前記第一方向において隣り合う２つの前記電線保持バーのうち下方の前記電線保持バーの前記複数の第一保持部と、前記２つの電線保持バーのうち上方の前記電線保持バーの前記複数の第一保持部とが、前記延出方向において異なる位置となるように前記２つの電線保持バーを連結する第二連結部を含む、多段電線保持バー。
【請求項５】
請求項１から請求項４のいずれか１項に記載の多段電線保持バーであって、
電線の端部を保持可能な少なくとも１つの第二保持部を含む電線保持部と、
前記一の直線上で、かつ、前記複数の第一保持部のうち端に存在する前記第一保持部の隣に前記第二保持部が位置するように、前記電線保持部と前記電線保持バーとを着脱可能に連結する第三連結部と、をさらに備える、多段電線保持バー。
【発明の詳細な説明】
【技術分野】
【０００１】
本発明は、電線を保持可能な多段電線保持バーに関する。
【背景技術】
【０００２】
特許文献１には、複数の電線を保持する電線保持バーについて示されている。特許文献１に示される電線保持バーにおいては、電線の端部を保持する溝が、電線保持バーの長手方向において複数並んで形成されている。
【０００３】
そして、一の電線の両端部が、それぞれ異なる２つの溝に保持されることで、一の電線が電線保持バーに保持される。
【先行技術文献】
【特許文献】
【０００４】
【特許文献１】特開２０１３−１５２８５６号公報
【発明の概要】
【発明が解決しようとする課題】
【０００５】
電線保持バーに保持された複数の電線は、例えば、その後、端部がコネクタハウジングの各キャビティに挿入接続される。ここで、電線の端部をコネクタハウジングのキャビティへ挿入接続する作業を効率良く行うため、同じコネクタハウジングに接続される複数の電線の一端部が、コネクタハウジングの各キャビティに挿入される順番に応じて並んで電線保持バーに保持されることがある。
【０００６】
しかしながら、特許文献１に開示の電線保持バーでは、複数の溝が横一列に並ぶように設けられている。このため、ある電線の両端部は、大きく離れた２つの溝によって保持される場合が生じ得る。従って、保持対象となる電線に比較的短いものが含まれる場合、複数の電線を特許文献１に開示の電線保持バーによって保持することは困難であった。
【０００７】
そこで、本発明は、保護対象となる複数の電線に比較的短いものが含まれる場合でも、それらの複数の電線を容易に保持できるようにすることを目的とする。
【課題を解決するための手段】
【０００８】
第１態様に係る多段電線保持バーは、電線の端部を保持可能で、一の直線に沿って並んで設けられた複数の第一保持部と、前記一の直線の周りの位置に設けられた連結部と、を備える電線保持バーを複数含み、前記連結部は、前記一の直線の延在方向と前記第一保持部に保持された状態の前記電線における前記第一保持部から延び出る部分の延出方向とに直交する第一方向において複数の前記電線保持バー各々における前記複数の第一保持部の位置がずれた状態で、かつ、複数の前記電線保持バー各々における前記複数の第一保持部が同じ姿勢となるように前記複数の電線保持バーを連結する。
【０００９】
第２態様に係る多段電線保持バーは、第１態様に係る多段電線保持バーの一態様である。第２態様に係る多段電線保持バーにおいては、前記一の直線の延在方向において、前記複数の電線保持バー各々における前記複数の第一保持部が設けられた領域の少なくとも一部同士が重なる状態で、複数の前記電線保持バーが連結されている。
【００１０】
第３態様に係る多段電線保持バーは、第１態様又は第２態様に係る多段電線保持バーの一態様である。第３態様に係る多段電線保持バーにおいては、前記連結部は、複数の前記電線保持バーの前記第一方向において隣り合う２つの前記電線保持バーのうち下方の前記電線保持バーの前記複数の第一保持部の上方に、隙間が形成されつつ、前記２つの電線保持バーのうち上方の前記電線保持バーの前記複数の第一保持部が重なるように、前記２つの電線保持バーを連結する第一連結部を含む。
【００１１】
第４態様に係る多段電線保持バーは、第１態様又は第２態様に係る多段電線保持バーの一態様である。第４態様に係る多段電線保持バーにおいては、前記連結部は、複数の前記電線保持バーの前記第一方向において隣り合う２つの前記電線保持バーのうち下方の前記電線保持バーの前記複数の第一保持部と、前記２つの電線保持バーのうち上方の前記電線保持バーの前記複数の第一保持部とが、前記延出方向において異なる位置となるように前記２つの電線保持バーを連結する第二連結部を含む。
【００１２】
第５態様に係る多段電線保持バーは、第１態様から第４態様のいずれか１つに係る多段電線保持バーの一態様である。第５態様に係る多段電線保持バーは、電線の端部を保持可能な少なくとも１つの第二保持部を含む電線保持部と、前記一の直線上で、かつ、前記複数の第一保持部のうち端に存在する前記第一保持部の隣に前記第二保持部が位置するように、前記電線保持部と前記電線保持バーとを着脱可能に連結する第三連結部と、をさらに備える。
【発明の効果】
【００１３】
上記の各態様においては、複数の電線保持バー各々における複数の第一保持部の位置が、一の直線の延在方向と第一保持部に保持された状態の電線における第一保持部から延び出る部分の延出方向とに直交する方向においてずれる位置関係で、かつ、複数の電線保持バー各々における複数の第一保持部が同じ姿勢となるように複数の電線保持バーが連結されている。この場合、比較的短い電線を含む保持対象の電線の一端部をある電線保持バーにおける第一保持部で保持し、上記電線の他端部を上記ある電線保持バーとは別の電線保持バーにおける上記電線の一端部を保持する第一保持部に比較的近い位置に存在する第一保持部によって保持することで、比較的短い電線を含む電線を多段電線保持バーで保持できる。また、複数の電線保持バー各々における複数の第一保持部が同じ姿勢となるように複数の電線保持バーが連結されているため、第一保持部に電線を保持させる作業を簡単に行うことができる。即ち、上記の各態様における多段電線保持バーを用いることで、保護対象となる複数の電線に比較的短いものが含まれる場合でも、それらの複数の電線を容易に保持できる。
【００１４】
また、第２態様においては、一の直線の延在方向において、複数の電線保持バー各々における複数の第一保持部が重なる状態で複数の電線保持バーが連結されている。この場合、多段電線保持バーが要するスペースを小さくすることができる。
【００１５】
また、第３態様においては、連結部は、複数の電線保持バーの第一方向において隣り合う２つの電線保持バーのうち下方の電線保持バーの複数の第一保持部の上方に、隙間が形成されつつ、２つの電線保持バーのうち上方の電線保持バーの複数の第一保持部が重なるように、２つの電線保持バーを連結する第一連結部を含む。この場合、多段電線保持バーが要するスペースを小さくすることができる。
【００１６】
また、第４態様においては、連結部は、複数の電線保持バーの第一方向において隣り合う２つの電線保持バーのうち下方の電線保持バーの複数の第一保持部と、２つの電線保持バーのうち上方の電線保持バーの複数の第一保持部とが、延出方向において異なる位置となるように２つの電線保持バーを連結する第二連結部を含む。この場合、複数の第一保持部の上方に比較的大きなスペースを設けることができ、電線を第一保持部に保持させる作業を容易に行うことができる。
【００１７】
また、第５態様においては、電線保持部と電線保持バーとを必要に応じて連結することで、多段電線保持バーの取扱い性能が高まる。
【図面の簡単な説明】
【００１８】
【図１】実施形態に係る多段電線保持バーに含まれる電線保持バーの斜視図である。
【図２】保護対象となる複数の電線及びコネクタを含むワイヤーハーネスを示す概略斜視図である。
【図３】実施形態に係る多段電線保持バーの正面図である。
【図４】実施形態に係る多段電線保持バーの側面図である。
【図５】第１変形例に係る多段電線保持バーの側面図である。
【図６】第１変形例に係る多段電線保持バーの正面図である。
【図７】第２変形例に係る多段電線保持バーに含まれる電線保持バー及び電線保持部の斜視図である。
【図８】第２変形例に係る多段電線保持バーの正面図である。
【発明を実施するための形態】
【００１９】
以下、添付の図面を参照しつつ、実施形態について説明する。以下の実施形態は、本発明を具現化した一例であり、本発明の技術的範囲を限定する事例ではない。
【００２０】
＜実施形態＞
まず、図１〜４を参照しつつ、実施形態に係る多段電線保持バー１００について説明する。多段電線保持バー１００は、ワイヤーハーネス９０を構成する電線９１の端部を保持可能に構成されている。ここでは、多段電線保持バー１００は、複数の電線保持バー１０１により構成されている。電線保持バー１０１は、電線９１の端部を保持可能な第一保持部１１と連結部とを備える。電線保持バーは、セットバーと称されることもある。
【００２１】
図１は、多段電線保持バー１００を構成する一の電線保持バー１０１の斜視図である。図２は、ワイヤーハーネス９０の斜視図である。図３は、多段電線保持バー１００の正面図である。図４は、多段電線保持バー１００の側面図である。
【００２２】
はじめに、図２，３を参照しつつ、ワイヤーハーネス９０について説明する。ワイヤーハーネス９０は、例えば、自動車等の車両に搭載される。ここでは、ワイヤーハーネス９０は、電線９１とコネクタハウジング９５とを備える。本実施形態では、便宜上、図２に示されるように、ワイヤーハーネス９０が、３つのコネクタハウジング９５Ａ，９５Ｂ，９５Ｃと、６つの電線９１Ａ，９１Ｂ，９１Ｃ，９１Ｄ，９１Ｅ，９１Ｆと、を含む場合の事例について説明する。
【００２３】
コネクタハウジング９５には、少なくとも１つのキャビティ９５０が設けられている。キャビティ９５０には、電線９１の端部が挿入され、これにより、電線９１とコネクタハウジング９５とが接続される。
【００２４】
また、ここでは、図２に示されるように、ワイヤーハーネス９０は、比較的長い電線である電線９１Ａ，９１Ｂ，９１Ｄ，９１Ｅ，９１Ｆと、比較的短い電線である電線９１Ｃと、を備える。そして、コネクタハウジング９５Ａには、電線９１Ａの一端部９１０Ａ、電線９１Ｂの一端部９１０Ｂ、電線９１Ｃの一端部９１０Ｃ、電線９１Ｄの一端部９１０Ｄ、電線９１Ｅの一端部９１０Ｅ及び電線９１Ｆの一端部９１０Ｆが接続されている。そして、コネクタハウジング９５Ｂには、電線９１Ａの他端部９１１Ａ、電線９１Ｂの他端部９１１Ｂ、電線９１Ｄの他端部９１１Ｄ、電線９１Ｅの他端部９１１Ｅ及び電線９１Ｆの他端部９１１Ｆが接続されている。そして、コネクタハウジング９５Ｃには、電線９１Ｃの他端部９１１Ｃが接続されている。
【００２５】
次に、本実施形態における電線保持バー１０１について説明する。電線保持バー１０１は、第一保持部１１と連結部とを備える。なお、本実施形態では、図１に示されるように、第一保持部１１を支持する支持部６をさらに備えている。
【００２６】
まず、第一保持部１１について説明する。第一保持部１１は、電線９１の端部を保持可能である。また、一の電線保持バー１０１には、複数の第一保持部１１が設けられている。複数の第一保持部１１は、一の直線Ｌ１に沿って並んで設けられている。
【００２７】
より具体的に説明する。本実施形態においては、図１に示されるように、一の電線保持バー１０１は、支持部６に支持され、長尺状に形成された比較的硬い基部１９と一の直線Ｌ１に沿って複数設けられた第一保持部１１とを含む。基部１９は、例えば、樹脂等で形成された部材である。基部１９は、一の直線Ｌ１の延在方向に沿って長尺状に形成されている。ここでは、基部１９は、支持部６に設けられた収容凹部６１に収容されて支持されている。
【００２８】
そして、ここでは、図１に示されるように、第一保持部１１は、基部１９に設けられた凹状の窪みの内部に設けられている。より具体的には、基部１９の凹状の窪みの内部で一の直線Ｌ１の延在方向に沿って複数の第一保持部１１が間隔を空けて並んで設けられている。
【００２９】
また、本実施形態では、図１に示されるように、第一保持部１１は、一対の弾性挟持片を含む。一対の弾性挟持片は、例えば、樹脂製の部材である。ここでは、図１に示されるように、一対の弾性挟持片は、一対の弾性挟持片の対向方向において凹状に湾曲した部分（以下、凹状部分）を基端側に含む。また、一対の弾性挟持片は、一対の弾性挟持片の先端側の部分に、一対の弾性挟持片の対向方向において凸状に湾曲した部分（以下、凸状部分）を含む。
【００３０】
より具体的には、一対の弾性挟持片の凸状部分は、先端から基端側に向かって徐々に一対の弾性挟持片の幅が狭まるように構成された部分を含む。そして、一対の弾性挟持片の凹状部分は、凸状部分の基端側に設けられ、先端側から基端側に向かって徐々に一対の弾性挟持片の幅が広くなるように構成された部分と最も幅広の部分から徐々にその幅が狭まるように構成された部分とを含む。
【００３１】
ここでは、第一保持部１１における一対の弾性挟持片間に電線９１の端部が押し込まれることで、電線９１の端部が第一保持部１１に保持される。より具体的には、一対の弾性挟持片の先端側から電線９１が一対の弾性挟持片の間に押し込まれ、凸状部分間の幅が拡げられる。そして、電線９１が、一対の弾性挟持片の凸状部分を通過し、凹状部分間に挟まれる。これにより、電線９１が第一保持部１１で保持される。
【００３２】
なお、別の例として、第一保持部１１の構成が、上記以外の構成であってもよい。例えば、第一保持部が、櫛歯状の部材を有し、該櫛歯間に電線の端部を押し込んで引掛けることにより保持する構成を採用することも可能である。また、さらに他の例として、一対の弾性挟持片が金属製の部材により形成されていてもよい。
【００３３】
また、本実施形態では、上段電線保持バー１０１Ｘ及び下段電線保持バー１０１Ｙに含まれる第一保持部１１の数が同じとなっている。即ち、この多段電線保持バー１００においては、同じ数の第一保持部１１が、第一方向Ｘにおいてずれた位置となるように構成されている。なお、上段電線保持バーに含まれる第一保持部の数と下段電線保持バーに含まれる第一保持部の数とが異なっている場合も考えられる。
【００３４】
次に支持部６について説明する。本実施形態において、支持部６は、複数の第一保持部１１を含む基部１９を支持する部分である。ここでは、図１に示されるように、支持部６には、基部１９を収容可能な収容凹部６１が形成されている。ここでは、収容凹部６１に基部１９が収容されることで、複数の第一保持部１１が一定の位置に固定されて支持される。
【００３５】
また、本実施形態において、支持部６は、後述する連結部の一部を成す。詳しくは、後述する。
【００３６】
次に連結部について説明する。連結部は、複数の電線保持バー１０１を連結する部分である。ここでは、連結部は、一の直線Ｌ１の延在方向と第一保持部１１に保持された状態の電線９１における第一保持部１１から延び出る部分の延出方向Ｙとに直交する第一方向Ｘにおいて複数の電線保持バー１０１各々における複数の第一保持部１１の位置がずれた状態で、かつ、複数の電線保持バー１０１各々における複数の第一保持部１１が同じ姿勢となるように複数の電線保持バー１０１を連結する。
【００３７】
より具体的に説明する。図３，４に示されるように、本実施形態においては、多段電線保持バー１００は、２つの電線保持バー１０１を含む。以下では、便宜上、必要に応じ、上方に位置する電線保持バー１０１を上段電線保持バー１０１Ｘと称し、下方に位置する電線保持バー１０１を下段電線保持バー１０１Ｙと称する。
【００３８】
そして、ここでは、第一方向Ｘにおいて複数の電線保持バー１０１各々における複数の第一保持部１１の位置がずれた状態とは、上段電線保持バー１０１Ｘに含まれる複数の第一保持部１１と下段電線保持バー１０１Ｙに含まれる複数の第一保持部１１とが第一方向Ｘにおいて異なる位置であることを意味する。即ち、換言すれば、上段電線保持バー１０１Ｘの複数の第一保持部１１を通る一の直線Ｌ１が通る位置が、下段電線保持バー１０１Ｙの複数の第一保持部１１を通る一の直線Ｌ１が通る位置と第一方向Ｘにおいて異なることを意味する。
【００３９】
ちなみに、ここでは、図４に示されるように、延出方向Ｙは、直線Ｌ１の延在方向に直交する方向でもある。また、第一方向Ｘは、第一保持部１１の一対の弾性挟持片によって成される溝の深さ方向と一致する。
【００４０】
また、本実施形態において、連結部は、複数の第一保持部１１が同じ姿勢となるように複数の電線保持バー１０１を連結するとは、連結部が、上段電線保持バー１０１Ｘの複数の第一保持部１１に電線９１が保持される際に電線９１が移動させられる向きと下段電線保持バー１０１Ｙの複数の第一保持部１１に電線９１が保持される際に電線９１が移動させられる向きとが同じとなるように上段電線保持バー１０１Ｘの複数の第一保持部１１の姿勢と下段電線保持バー１０１Ｙの複数の第一保持部１１の姿勢とが揃えられた状態で、上段電線保持バー１０１Ｘと下段電線保持バー１０１Ｙとを連結することを意味する。従って、ここでは、複数の電線保持バー１０１各々の第一保持部１１に対し同じ方向に沿って電線９１が移動させられることで、複数の電線保持バー１０１各々の第一保持部１１に電線９１を保持させることが可能となる。
【００４１】
より具体的には、図３，４に示されるように、上段電線保持バー１０１Ｘにおける第一保持部１１の一対の弾性挟持片によって成される溝と下段電線保持バー１０１Ｙにおける第一保持部１１の一対の弾性挟持片によって成される溝とは、ともに上向きに開口している。従って、ここでは、上段電線保持バー１０１Ｘの第一保持部１１に電線９１が保持される場合、電線９１は一対の弾性挟持片の先端側の開口から第一方向Ｘに沿って一対の弾性挟持片の基端側に移動させられることで、電線９１は、第一保持部１１の一対の弾性挟持片間に通され、上段電線保持バー１０１Ｘの第一保持部１１に保持される。これと同様に、下段電線保持バー１０１Ｙにおいても、下段電線保持バー１０１Ｙの第一保持部１１に電線９１が保持される場合、一対の弾性挟持片の先端側の開口から第一方向Ｘに沿って一対の弾性挟持片の基端側に移動させられることで、電線９１は、第一保持部１１の一対の弾性挟持片間に通され、下段電線保持バー１０１Ｙの第一保持部１１に保持される。
【００４２】
また、本実施形態では、一の直線Ｌ１の延在方向において、複数の電線保持バー１０１各々における複数の第一保持部１１が設けられた領域の少なくとも一部同士が重なる状態で、複数の電線保持バー１０１が連結されている。換言すれば、ここでは、一の直線Ｌ１の延在方向において、下段電線保持バー１０１Ｙの複数の第一保持部１１が設けられた領域の少なくとも一部と上段電線保持バー１０１Ｘの複数の第一保持部１１が設けられた領域の少なくとも一部とが重なっていることを意味する。なお、より具体的には、図３に示されるように、ここでは、一の直線Ｌ１の延在方向において、下段電線保持バー１０１Ｙの複数の第一保持部１１が設けられた領域全体が、上段電線保持バー１０１Ｘの複数の第一保持部１１が設けられた領域全体と重なっている。この場合、多段電線保持バー１００が、一の直線Ｌ１の延在方向において要するスペースをより小さくすることが可能である。
【００４３】
また、本実施形態においては、連結部が、第一連結部３１を含む。第一連結部３１は、複数の電線保持バー１０１の第一方向Ｘにおいて隣り合う２つの電線保持バー１０１のうち下方の電線保持バー１０１の複数の第一保持部１１の上方に、隙間が形成されつつ、２つの電線保持バー１０１のうち上方の電線保持バー１０１の複数の第一保持部１１が重なるように、２つの電線保持バー１０１を連結する。より具体的には、本実施形態においては、第一連結部３１は、第一方向Ｘにおいて、下段電線保持バー１０１Ｙの複数の第一保持部１１の上方に、隙間が形成されつつ、上段電線保持バー１０１Ｘの複数の第一保持部１１が重なるように、下段電線保持バー１０１Ｙと上段電線保持バー１０１Ｘとを連結している。なお、ここでは、下段電線保持バー１０１Ｙの複数の第一保持部１１と上段電線保持バー１０１Ｘとの間の隙間は、電線９１を下段電線保持バー１０１Ｙの第一保持部１１の上方に移動させつつ、第一保持部１１の上方に位置する電線９１を第一保持部１１の一対の弾性挟持片間に通すように下方に移動させる作業を行える程度の隙間である。例えば、図４に示されるように、電線９１が保持チャック５によって第一保持部１１に保持させられる場合、下段電線保持バー１０１Ｙの複数の第一保持部１１と上段電線保持バー１０１Ｘとの間の隙間は、保持チャック５が通過可能な程度の隙間であることが考えられる。ここで、保持チャック５は、一対の挟持爪を含み、電磁チャック、エアチャック等のアクチュエータによって構成された開閉機構が、一対の挟持爪を開閉駆動することで、電線９１を挟み支持することが可能に構成されている。なお、別の例として、作業者の手によって電線９１が第一保持部１１に保持されてもよい。この場合、上記隙間は、例えば、作業者が第一保持部１１に電線９１を楽に行える程度の隙間であることが考えられる。
【００４４】
本実施形態の連結部の具体的な構成について説明する。ここで、連結部は、一の直線Ｌ１の周りの位置に設けられている。換言すれば、電線保持バー１０１において、連結部は、一の直線Ｌ１上以外の位置に設けられている。これにより、例えば、保持チャック５が一の直線Ｌ１の延在方向において、連結部に接触することを回避しつつ移動することが可能となる。この場合、保持チャック５を移動させる移動機構を簡易な構造とすることができ、多段電線保持バー１００及び保持チャック５を含む装置の構成を簡易化することが可能となる。
【００４５】
本実施形態では、連結部は、第一連結部３１を含み、第一連結部３１は、支持部６に立設された凸部３１１と、支持部６のうち凸部３１１が形成された側の面に対し反対側の面に形成された凹部３１２と、を含む。
【００４６】
凸部３１１及び凹部３１２は、複数の第一保持部１１から延出方向Ｙにおいて離れた位置に設けられている。
【００４７】
本実施形態において、第一連結部３１は、一の直線Ｌ１の延在方向において間隔を空けて設けられた２つの凸部３１１を含む。凸部３１１は、支持部６から第一方向Ｘにおいて凸状に形成されている。
【００４８】
また、凹部３１２は、凸部３１１に嵌合可能な凹みである。凹部３１２は、第一方向Ｘにおいて支持部６から凹むように形成された部分である。より具体的には、凹部３１２は、支持部６における凸部３１１が形成された側の面に対し反対側の面において凹んで形成されている。なお、ここでは、第一連結部３１は、一の直線Ｌ１の延在方向において間隔を空けて設けられた２つの凹部３１２を含んでいる。
【００４９】
そして、図３に示されるように、多段電線保持バー１００においては、下方に位置する電線保持バー１０１の凸部３１１が、上方に位置する電線保持バー１０１の凹部３１２に嵌め込まれることで、第一方向Ｘにおいて隣り合う２つの電線保持バー１０１が連結される。なお、ここでは、一の直線Ｌ１の延在方向において、複数の電線保持バー１０１各々における複数の第一保持部１１が設けられた領域全体が、他の電線保持バー１０１における複数の第一保持部１１が設けられた領域全体に重なる構成とされているため、凸部３１１及び凹部３１２は、一の直線Ｌ１の延在方向及び上記延出方向Ｙにおいて同じ位置となるように支持部６に設けられている。
【００５０】
また、図４に示されるように、本実施形態では、下段電線保持バー１０１Ｙの凸部３１１が、上段電線保持バー１０１Ｘの凹部３１２と嵌合されて連結された状態で、下段電線保持バー１０１Ｙの支持部６における凸部３１１が形成された側の面と上段電線保持バー１０１Ｘの支持部６における凹部３１２が形成された側の面との間の寸法は、下段電線保持バー１０１Ｙの基部１９及び第一保持部１１のうち支持部６から上段電線保持バー１０１Ｘ側に突出する部分の寸法、即ち、下段電線保持バー１０１Ｙの基部１９及び第一保持部１１のうち支持部６の収容凹部６１に収容された部分を除く部分の第一方向Ｘにおける寸法よりも大きくなっている。これにより、下段電線保持バー１０１Ｙの第一保持部１１と上段電線保持バー１０１Ｘの支持部６との間に隙間が形成される。
【００５１】
なお、第一連結部が、凸部３１１と凹部３１２とを含む構成以外の構成とされている場合も考えられる。例えば、第一連結部が、第一方向Ｘにおいて隣り合う２つの電線保持バーを永久磁石によって連結する構成とされていてもよい。また、第一連結部が、第一方向Ｘにおいて隣り合う２つの電線保持バーをネジ留め等によって連結する構成とされていてもよい。
【００５２】
また、支持部６が収容凹部６１を含まない場合も考えられる。例えば、支持部のうち凸部が形成された側の面が全体として平面で構成され、基部の底面が支持部のうち凸部が形成された側の面と接触して固定されている場合も考えられる。
【００５３】
また、本実施形態において、多段電線保持バー１００は、同じ構造の電線保持バー１０１を複数含む。この場合、同じ構造の電線保持バー１０１で多段電線保持バー１００を構成することができ、容易に製造できる。なお、他の態様として、多段電線保持バーにおいて、最も下方に位置する電線保持バーにおける凹部が省略されていてもよい。また、多段電線保持バーにおいて、最も上方に位置する電線保持バーにおける凸部が省略されていてもよい。
【００５４】
次に図１〜４を参照しつつ、多段電線保持バー１００に電線９１が保持される状態について説明する。ここでは、ワイヤーハーネス９０に含まれる６つの電線９１の各端部が、電線保持バー１０１における複数の第一保持部１１各々に保持される。
【００５５】
より具体的に説明する。まず、ここでは、６つの電線９１の各端部のうち、同じコネクタハウジング９５に収容されるもの同士でグループ分けされている。即ち、ここでは、コネクタハウジング９５Ａに接続される電線９１Ａの一端部９１０Ａ、電線９１Ｂの一端部９１０Ｂ、電線９１Ｃの一端部９１０Ｃ、電線９１Ｄの一端部９１０Ｄ、電線９１Ｅの一端部９１０Ｅ及び電線９１Ｆの一端部９１０Ｆより構成されるグループＧ１と、コネクタハウジング９５Ｂに接続される電線９１Ａの他端部９１１Ａ、電線９１Ｂの他端部９１１Ｂ、電線９１Ｄの他端部９１１Ｄ、電線９１Ｅの他端部９１１Ｅ及び電線９１Ｆの他端部９１１Ｆより構成されるグループＧ２と、コネクタハウジング９５Ｃに接続される電線９１Ｃの他端部９１１Ｃより構成されるグループＧ３と、に分けられている。
【００５６】
そして、各グループＧ１，Ｇ２，Ｇ３に含まれる電線９１の端部は、一の直線Ｌ１の延在方向に沿って複数設けられた第一保持部１１に順番に並ぶ状態で保持される。例えば、各グループＧ１〜Ｇ３に含まれる電線９１の端部は、コネクタハウジング９５のキャビティ９５０に挿入される順で並べられることが考えられる。
【００５７】
より具体的には、グループＧ１に含まれる電線９１の端部は、以下のように並んで下段電線保持バー１０１Ｙの第一保持部１１に保持される。即ち、図３に示されるように、下段電線保持バー１０１Ｙの複数の第一保持部１１のうち最も一端７１側に位置する第一保持部１１１には、電線９１Ａの一端部９１０Ａが保持される。また、第一保持部１１１の他端７２側に隣接する第一保持部１１２には、電線９１Ｂの一端部９１０Ｂが保持される。また、第一保持部１１２の他端７２側に隣接する第一保持部１１３には、電線９１Ｃの一端部９１０Ｃが保持される。また、第一保持部１１３の他端７２側に隣接する第一保持部１１４には、電線９１Ｄの一端部９１０Ｄが保持される。また、第一保持部１１４の他端７２側に隣接する第一保持部１１５には、電線９１Ｅの一端部９１０Ｅが保持される。また、第一保持部１１５の他端７２側に隣接する第一保持部１１６には、電線９１Ｆの一端部９１０Ｆが保持される。
【００５８】
次に、グループＧ１の他端７２側にはグループＧ２の電線９１の端部が保持される。ここでは、図３に示されるように、第一保持部１１６の他端７２側に隣接する第一保持部１１７には、電線９１Ａの他端部９１１Ａが保持される。また、第一保持部１１７の他端７２側に隣接する第一保持部１１８には、電線９１Ｂの他端部９１１Ｂが保持される。また、第一保持部１１８の他端７２側に隣接する第一保持部１１９には、電線９１Ｄの他端部９１１Ｄが保持される。また、第一保持部１１９の他端７２側に隣接する第一保持部１１Ａには、電線９１Ｅの他端部９１１Ｅが保持される。また、第一保持部１１Ａの他端７２側に隣接する第一保持部１１Ｂには、電線９１Ｆの他端部９１１Ｆが保持される。
【００５９】
ここで、図３に示されるように、順番に従えば、下段電線保持バー１０１Ｙにおける第一保持部１１Ｂの他端７２側に隣接する第一保持部１１Ｃに、グループＧ３に含まれる電線９１Ｃの他端部９１１Ｃが保持されるはずである。しかしながら、第一保持部１１３と第一保持部１１Ｃとの間の距離よりも電線９１Ｃの長さが短い場合、電線９１Ｃの他端部９１１Ｃを第一保持部１１Ｃで保持することができなくなる。
【００６０】
そこで、本実施形態では、下段電線保持バー１０１Ｙの上方に位置する上段電線保持バー１０１Ｘが使用される。即ち、図３に示されるように、電線９１Ｃの他端部９１１Ｃが、上段電線保持バー１０１Ｘの第一保持部１１（ここでは、第一保持部１１Ｘ）で保持される。なお、上段電線保持バー１０１Ｘの第一保持部１１Ｘで電線９１Ｃの他端部９１１Ｃを保持するため、下段電線保持バー１０１Ｙにおける第一保持部１１３で電線９１Ｃの一端部９１０Ｃを保持した状態で、上段電線保持バー１０１Ｘにおける複数の第一保持部１１のうち電線９１Ｃの他端部９１１Ｃを保持できる位置の第一保持部１１によって、電線９１Ｃの他端部９１１Ｃが保持される。ちなみに、本実施形態のように、好ましくは、第一保持部１１３に比較的近い位置、即ち、下段電線保持バー１０１Ｙにおける第一保持部１１３の真上に位置する上段電線保持バー１０１Ｘにおける第一保持部１１Ｃによって電線９１Ｃの他端部９１１Ｃが保持されることが考えられる。
【００６１】
以上より、本実施形態では、多段電線保持バー１００を用いることで、３つのコネクタハウジング９５毎にグループ分けされた電線９１を、グループ分けを崩すことなく、多段電線保持バー１００で保持できる。この場合、多段電線保持バー１００から電線９１の端部を一の直線Ｌ１の延在方向に沿って順番に取り出し、コネクタハウジング９５の各キャビティ９５０へ挿入接続することで、電線９１とコネクタハウジング９５との接続作業を容易に行うことが可能となる。
【００６２】
また、本実施形態の多段電線保持バー１００においては、電線９１の長さに関わらず、必要に応じ、上段電線保持バー１０１Ｘの第一保持部１１と下段電線保持バー１０１Ｙの第一保持部１１とが使用されてもよい。例えば、長尺な電線の両端部各々を、２段に分けて保持することが考えられる。この場合、長尺な電線を、電線保持バー１０１の一の直線Ｌ１の延在方向における寸法が増大化することを抑制しつつ、保持することができる。
【００６３】
また、本実施形態の多段電線保持バー１００においては、主に、下段電線保持バー１０１Ｙの第一保持部１１によって、大部分の電線９１が保持される構成とされていたが、主に上段電線保持バー１０１Ｘの第一保持部１１によって大部分の電線９１が保持される構成とされてもよい。
【００６４】
＜効果＞
本実施形態においては、複数の電線保持バー１０１各々における複数の第一保持部１１の位置が、一の直線Ｌ１の延在方向と第一保持部１１に保持された状態の電線９１における第一保持部１１から延び出る部分の延出方向Ｙとに直交する第一方向Ｘにおいてずれる位置関係で、かつ、複数の電線保持バー１０１各々における複数の第一保持部１１が同じ姿勢となるように複数の電線保持バー１０１が連結されている。この場合、比較的短い電線９１Ｃを含む保持対象の電線９１を複数の電線保持バー１０１（ここでは、上段電線保持バー１０１Ｘ及び下段電線保持バー１０１Ｙ）を用いて保持できる、即ち、電線９１Ｃの一端部９１０Ｃをある電線保持バー（ここでは、下段電線保持バー１０１Ｙ）における第一保持部１１３で保持し、上記電線９１Ｃの他端部９１１Ｃを上記下段電線保持バー１０１Ｙとは別の電線保持バー１０１（ここでは、上段電線保持バー１０１Ｘ）における第一保持部１１Ｘで保持することで、比較的短い電線９１Ｃを多段電線保持バー１００で保持できる。なお、下段電線保持バー１０１Ｙの第一保持部１１３と上段電線保持バー１０１Ｘの第一保持部１１Ｘとは、電線９１Ｃの両端部をそれぞれ保持可能に比較的近い位置関係（ここでは、第一保持部１１Ｘが第一保持部１１３の真上となる位置関係）である。また、複数の電線保持バー１０１各々における複数の第一保持部１１が同じ姿勢となるように複数の電線保持バー１０１が連結されているため、第一保持部１１に電線９１を保持させる作業を簡単に行うことができる。即ち、本実施形態の多段電線保持バー１００を用いることで、保護対象となる複数の電線９１に比較的短いものが含まれる場合でも、それらの複数の電線９１を容易に保持できる。
【００６５】
また、本実施形態においては、一の直線Ｌ１の延在方向において、複数の電線保持バー１０１各々における複数の第一保持部１１が重なる状態で複数の電線保持バー１０１が連結されている。この場合、多段電線保持バー１００が要するスペースを比較的小さくすることができる。より具体的には、例えば、保持する電線９１の数が多くなった場合でも、複数の電線保持バー１０１各々における複数の第一保持部１１が重なる状態で複数の電線保持バー１０１が連結されることで、一の直線Ｌ１の延在方向において多段電線保持バー１００が要するスペースを比較的小さくしつつ、より多くの電線９１を保持することが可能となる。
【００６６】
また、本実施形態においては、連結部は、複数の電線保持バー１０１の第一方向Ｘにおいて隣り合う２つの電線保持バー１０１のうち下方の電線保持バー１０１（ここでは、下段電線保持バー１０１Ｙ）の複数の第一保持部１１の上方に、隙間が形成されつつ、２つの電線保持バー１０１のうち上方の電線保持バー１０１（ここでは、上段電線保持バー１０１Ｘ）の複数の第一保持部１１が重なるように、２つの電線保持バー１０１を連結する第一連結部３１を含む。この場合、多段電線保持バー１００が要するスペースを小さくすることができる。特に、図４に示されるように、多段電線保持バー１００が、上記延出方向Ｙにおいて要するスペースを比較的小さくすることができる。
【００６７】
＜第１変形例＞
次に図５，６を参照しつつ、第１変形例に係る多段電線保持バー１００Ａについて説明する。図５は、多段電線保持バー１００Ａの側面図である。図６は、多段電線保持バー１００Ａの正面図である。なお、図５，６において、図１〜４に示される構成要素と同じ構成要素には同じ参照符号が付されている。以下、多段電線保持バー１００Ａにおける多段電線保持バー１００と異なる点について説明する。
【００６８】
本例では、連結部は、第一連結部３１と異なる第二連結部３２を含む。図５，６に示されるように、第二連結部３２は、複数の電線保持バー１０１の第一方向Ｘにおいて隣り合う２つの電線保持バー１０１のうち下方の電線保持バー１０１の複数の第一保持部１１と、２つの電線保持バー１０１のうち上方の電線保持バー１０１の複数の第一保持部１１とが、延出方向Ｙにおいて異なる位置となるように２つの電線保持バー１０１を連結する。より具体的には、本例においては、第二連結部３２は、延出方向Ｙにおいて、下段電線保持バー１０１Ｙにおける複数の第一保持部１１の位置（即ち、下段電線保持バー１０１Ｙの一の直線Ｌ１の位置）と上段電線保持バー１０１Ｘにおける複数の第一保持部１１の位置（即ち、上段電線保持バー１０１Ｘの一の直線Ｌ１の位置）とが異なるように、上段電線保持バー１０１Ｘと下段電線保持バー１０１Ｙとを連結する。
【００６９】
第二連結部３２の具体的な構成について説明する。第二連結部３２は、支持部６に立設された凸部３１１Ａと、支持部６のうち凸部３１１Ａが形成された側の面に対し反対側の面に形成された凹部３１２Ａと、を含む。そして、ここでは、支持部６における凸部３１１Ａの反対側の位置に凹部３１２Ａが形成されていない。即ち、凸部３１１Ａと凹部３１２Ａとは、延出方向Ｙにおいて位置がずれるように支持部６に設けられている。より具体的には、下段電線保持バー１０１Ｙの複数の第一保持部１１と凸部３１１Ａとの間の上方に、上段電線保持バー１０１Ｘの複数の第一保持部１１が重なるような位置関係で凸部３１１Ａ及び凹部３１２Ａが設けられている。これにより、図５に示されるように、第二連結部３２は、下段電線保持バー１０１Ｙの支持部６と上段電線保持バー１０１Ｘの支持部６とが階段状に積み上げられた形態で上段電線保持バー１０１Ｘと下段電線保持バー１０１Ｙとを連結する。
【００７０】
本例においても、図５，６に示されるように、実施形態と同様、一の電線保持バー１０１（下段電線保持バー１０１Ｙ）の第一保持部１１に比較的短い電線９１Ｃの一端部９１０Ｃが保持された状態で、比較的短い電線９１Ｃの他端部９１１Ｃが、上記一の電線保持バー１０１に第一方向Ｘにおいて隣り合う電線保持バー１０１（上段電線保持バー１０１Ｘ）の第一保持部１１で保持することで、保護対象となる複数の電線９１に比較的短いものが含まれる場合でも、それらの複数の電線９１を容易に保持できる。
【００７１】
また、本例でも、図６に示されるように、一の直線Ｌ１の延在方向において、下段電線保持バー１０１Ｙの複数の第一保持部１１が設けられた領域全体が、上段電線保持バー１０１Ｘの複数の第一保持部１１が設けられた領域全体と重なっているため、多段電線保持バー１００Ａが、一の直線Ｌ１の延在方向において要するスペースをより小さくすることが可能である。
【００７２】
また、本例においては、連結部は、複数の電線保持バー１０１の第一方向Ｘにおいて隣り合う２つの電線保持バー１０１のうち下方の電線保持バー（ここでは、下段電線保持バー１０１Ｙ）の複数の第一保持部１１と、２つの電線保持バー１０１のうち上方の電線保持バー１０１（ここでは、上段電線保持バー１０１Ｘ）の複数の第一保持部１１とが、延出方向Ｙにおいて異なる位置となるように２つの電線保持バー１０１を連結する第二連結部３２を含む。この場合、複数の第一保持部１１の上方に比較的大きなスペースを設けることができ、電線９１を第一保持部１１に保持させる作業を容易に行うことができる。例えば、図５に示されるように、電線保持バー１０１の第一保持部１１に電線９１が保持される作業が、保持チャック５Ａによって行われる場合、下段電線保持バー１０１Ｙの第一保持部１１の上方に比較的広いスペースが生じるため、保持チャック５Ａの構成を、実施形態の保持チャック５の構成よりも簡易なものとすることも可能である。
【００７３】
＜第２変形例＞
次に図７，８を参照しつつ、第２変形例に係る多段電線保持バー１００Ｂについて説明する。図７は、電線保持バー１０１及び電線保持部２００の斜視図である。図８は、多段電線保持バー１００Ｂの正面図である。なお、図７，８において、図１〜６に示される構成要素と同じ構成要素には同じ参照符号が付されている。以下、多段電線保持バー１００Ｂにおける多段電線保持バー１００と異なる点について説明する。
【００７４】
多段電線保持バー１００Ｂは、複数の電線保持バー１０１に加え、さらに、電線保持部２００及び第三連結部４を備える。ここでは、図７，８に示されるように、多段電線保持バー１００Ｂは、上段電線保持バー１０１Ｘと下段電線保持バー１０１Ｙと電線保持部２００と第三連結部４とを備える。上段電線保持バー１０１Ｘ及び下段電線保持バー１０１Ｙについては実施形態と同様の構成であるため、説明を省略する。
【００７５】
電線保持部２００について説明する。電線保持部２００は、電線９１の端部を保持可能な少なくとも１つの第二保持部２１を含む。本例では、図７，８に示されるように、電線保持部２００が１つの第二保持部２１を含む場合が示されている。しかしながら、他の例として、電線保持部が複数の第二保持部を含む場合も考えられる。
【００７６】
より具体的には、本例において、電線保持部２００は、第二保持部２１と第二保持部２１を支持する支持部２６と基部２９とを備える。基部２９は、比較的硬く形成され、例えば、樹脂等により形成されている。また、基部２９は、支持部２６に支持されている。例えば、基部２９は、支持部２６に形成された凹部に嵌め込まれて支持されている場合又は接着部材等により接着されて支持されている場合等が考えられる。
【００７７】
そして、ここでは、第二保持部２１は、基部２９の上方に突出する一対の弾性挟持片を含む。即ち、第二保持部２１は、第一保持部１１と同様の構成とされている。本例においては、第二保持部２１の一対の弾性挟持片間に電線９１が入れられることで第二保持部２１に電線９１が保持される。
【００７８】
なお、電線保持部が複数の第二保持部を含む場合、電線保持部は、例えば、実施形態の基部１９及び第一保持部１１を含む部材と同様の構成とされていることが考えられる。
【００７９】
次に第三連結部４について説明する。第三連結部４は、電線保持バー１０１の複数の第一保持部１１が並ぶ一の直線Ｌ１上で、かつ、複数の第一保持部１１のうち端に存在する第一保持部１１の隣に第二保持部２１が位置するように、電線保持部２００と電線保持バー１０１とを連結する。ここでは、図７に示されるように、第三連結部４は、基部１９の他端７２の隣に基部２９を連結する。これにより、基部１９に設けられた第一保持部１１と基部２９に設けられた第二保持部２１とが一の直線Ｌ１上で並ぶ。
【００８０】
より具体的には、本例では、第三連結部４は、電線保持バー側連結部４１と電線保持部側連結部４２とを含む。電線保持バー側連結部４１は、電線保持バー１０１側に設けられている。ここでは、電線保持バー側連結部４１は、基部１９の他端７２側の側面と他端７２側の支持部６の側面とに設けられている。一方、電線保持部側連結部４２は、基部２９の一方側の側面及びこの一方側の支持部２６の側面に設けられている。そして、ここでは、第三連結部４は、電線保持バー１０１と電線保持部２００とを着脱可能に連結する構成である。
【００８１】
例えば、本例においては、電線保持バー側連結部４１及び電線保持部側連結部４２は、少なくとも一方が磁石を含む構成とされていることが考えられる。この場合、例えば、電線保持バー側連結部４１及び電線保持部側連結部４２の両方が、永久磁石により構成されている場合又は電線保持バー側連結部４１及び電線保持部側連結部４２の一方が永久磁石で構成され、他方が永久磁石に吸着可能な磁性体によって構成されている場合が考えられる。なお、第三連結部４は、電線保持バー１０１と電線保持部２００とを着脱可能に連結する構成であるため、電線保持バー側連結部４１及び電線保持部側連結部４２は、取り外し可能な程度の磁力で連結されていることが考えられる。
【００８２】
なお、第三連結部４が上記以外の構成であってもよい。例えば、電線保持バー側連結部及び電線保持部側連結部の一方が凸状に形成され、他方が一方に嵌合可能な凹状に形成された構成等であってもよい。
【００８３】
本例の多段電線保持バー１００Ｂにおいても、実施形態及び第１変形例と同様、一の電線保持バー１０１の第一保持部１１に比較的短い電線の一端部が保持された状態で、比較的短い電線の他端部が、上記一の電線保持バー１０１に第一方向Ｘにおいて隣り合う電線保持バー１０１の第一保持部１１で保持することで、保護対象となる複数の電線に比較的短いものが含まれる場合でも、それらの複数の電線を容易に保持できる。
【００８４】
また、本例では、電線保持部２００を電線保持バー１０１に連結することで、電線の端部を保持できる構成の数を増やすことができる。これにより、多段電線保持バー１００Ｂで保持可能な電線の数を増やすことができる。また、第三連結部４が、電線保持バー１０１と電線保持部２００とを着脱可能に連結する構成である場合、必要に応じて電線保持部２００を電線保持バー１０１に装着すること及び取り外すことが可能となる。その結果、多段電線保持バー１００Ｂの取扱い性能が高まる。なお、図８に示される例では、電線保持部２００は下段電線保持バー１０１Ｙと連結される構成であるが、電線保持部２００が上段電線保持バー１０１Ｘと連結される構成であってもよい。
【００８５】
＜応用例＞
実施形態及び各変形例では、多段電線保持バーが２つの電線保持バーを含む場合を説明したが、多段電線保持バーが３つ以上の電線保持バーを含む場合も考えられる。
【００８６】
また、多段電線保持バーが異なる種類の電線保持バーを含む場合も考えられる。例えば、多段電線保持バーが、実施形態の電線保持バーと第１変形例の電線保持バーとを含み、多段電線保持バーの一部が複数の電線保持バーが上方に積み重ねられた構造を有し、多段電線保持バーの残りが複数の電線保持バーが階段状に重ねられた構造を有する場合も考えられる。
【００８７】
また、多段電線保持バーに含まれる複数の電線保持バーが、一の直線Ｌ１の延在方向においてずれた位置で第一方向Ｘにおいて重ねられている場合も考えられる。
【００８８】
なお、本発明に係る多段電線保持バーは、各請求項に記載された発明の範囲において、以上に示された実施形態、変形例及び応用例を自由に組み合わせること、或いは、実施形態、変形例及び応用例を適宜、変形する又は一部を省略することによって構成されることも可能である。
【符号の説明】
【００８９】
１００  多段電線保持バー
１０１  電線保持バー
１１  第一保持部
２００  電線保持部
２１  第二保持部
３１  第一連結部
３２  第二連結部
４  第三連結部
９１  電線
Ｌ１  一の直線
Ｘ  第一方向
Ｙ  延出方向
【図１】
2017073311.tif 000003
【図２】
2017073311.tif 000004
【図３】
2017073311.tif 000005
【図４】
2017073311.tif 000006
【図５】
2017073311.tif 000007
【図６】
2017073311.tif 000008
【図７】
2017073311.tif 000009
【図８】
2017073311.tif 000010